(57)【要約】【課題】中継依頼送信により文書等を受信した受信装置で中継依頼装置を確実に特定できるようにする。【解決手段】通信管理部１３はファクシミリ受信するとき、発信者番号通知により送られる発信側ファクシミリ装置の発信者番号を記憶する。システム制御部４は中継依頼装置２から受信装置３ａ〜３ｃを指定してリモート中継依頼を受け、受信装置３ａ〜３ｃにファクシミリ送信するとき、通信管理部１３に記憶した中継依頼装置２の発信者番号をＣＳＩとしてセットし、受信装置３ａ〜３ｃにファクシミリ転送する。【選択図】　　図４
2004112032.tif 000002
【特許請求の範囲】
【請求項１】
リモート中継機能を有するメモリ受信機能付きファクシミリ装置において、
装置全体の処理を管理するシステム制御部と通信管理部を有し、通信管理部はファクシミリ受信するとき、発信者番号通知により送られる発信側ファクシミリ装置の発信者番号を記憶し、システム制御部はリモート中継依頼がされたとき、通信管理部に記憶した発信側ファクシミリ装置の発信者番号をＣＳＩ情報として受信側ファクシミリ装置にファクシミリ転送することを特徴とするファクシミリ装置。
【請求項２】
リモート中継機能を有するメモリ受信機能付きファクシミリ装置において、
装置全体の処理を管理するシステム制御部と通信管理部を有し、通信管理部はファクシミリ受信するとき、発信者番号通知により送られる発信側ファクシミリ装置の発信者番号を記憶し、システム制御部はリモート中継依頼がされたとき、通信管理部に記憶した発信側ファクシミリ装置の発信者番号をＲＴＩ情報として受信側ファクシミリ装置にファクシミリ転送することを特徴とするファクシミリ装置。
【発明の詳細な説明】
【０００１】
【発明の属する技術分野】
この発明は、ファクシミリ装置から中継依頼送信を受けたときに、受信した文書等を指定されたファクシミリ装置に自動的に送信する中継機能を有するファクシミリ装置に関するものである。
【０００２】
【従来の技術】
【特許文献１】特開２００１−２５１４８８号公報
中継依頼ファクシミリ装置（以下、中継依頼装置という）から指定された受信ファクシミリ装置（以下、受信装置という）に対して中継依頼送信を受けたときに、受信した文書等を指定されたファクシミリ装置に自動的に送信する中継機能を有するファクシミリ装置が、例えば特許文献１等に示されている。特許文献１に示されたファクシミリ装置は、中継依頼通信を受けたときに通信網側から通知された発信者番号の情報を記憶し、中継依頼装置から依頼された文書等を受信装置に送信した後、記憶した発信者番号の中継依頼装置に対して処理結果を通知して、確実に中継依頼の処理結果を中継依頼装置に通知するようにしている。
【０００３】
【発明が解決しようとする課題】
しかしながら中継装置となるファクシミリ装置が中継依頼を受けた文書等を受信装置に送信したとき、中継依頼装置を名称やファクシミリ番号を特定する手段として、発信元名称記録であるＴＴＩ（Ｔｒａｎｓｍｉｔｔｅｒ　Ｔｅｒｍｉｎａｌ　Ｉｄｅｎｔｉｆｉｃａｔｉｏｎ）やファクシミリ画情報しかなく、例えばファクシミリ番号が何もＴＴＩに登録されていなく、ファクシミリ画情報にも中継依頼装置が記載されていない場合、中継依頼装置に文書等の返信を送るときに中継依頼装置のファクシミリ番号が解らないという問題があった。
【０００４】
この発明は係る問題を解消し、中継依頼送信により文書等を受信して受信装置で中継依頼装置を確実に特定することができる中継機能を有するファクシミリ装置を提供することを目的とするものである。
【０００５】
【課題を解決するための手段】
この発明のファクシミリ装置は、リモート中継機能を有するメモリ受信機能付きファクシミリ装置において、装置全体の処理を管理するシステム制御部と通信管理部を有し、通信管理部はファクシミリ受信するとき、発信者番号通知により送られる発信側ファクシミリ装置の発信者番号を記憶し、システム制御部はリモート中継依頼がされたとき、通信管理部に記憶した発信側ファクシミリ装置の発信者番号をＣＳＩ情報又はＲＴＩ情報として受信側ファクシミリ装置にファクシミリ転送することを特徴とする。
【０００６】
【発明の実施の形態】
図１はこの発明のシステム構成を示すブロック図である。ファクシミリ装置１と中継依頼ファクシミリ装置（以下、中継依頼装置という）２及び受信ファクシミリ装置（以下、受信装置という）３ａ〜３ｂは通信回線を介して加入者線交換機２０に接続され、ファクシミリ装置１は中継依頼装置２から指定された受信装置３ａ〜３ｂに対して中継依頼送信を受けたときに、受信した文書等を指定された受信装置３ａ〜３ｂに自動的に送信する中継機能を有する。
【０００７】
このファクシミリ装置１は、図２のブロック図に示すように、システム制御部４と操作部５と表示部６と読取部７と書込部８と通信制御部９と網制御部１０と画像処理部１１と画像メモリ１２及び通信管理部１３を有する。
【０００８】
システム制御部４は、ＣＰＵとＲＯＭ及びＲＡＭ等を有し、ＲＯＭ内にはファクシミリ装置としての基本プログラムや中継機能等の各種プログラムが格納されている。このプログラムが膨大になる場合には、ＲＯＭのほかに磁気ディスク装置などを搭載しプログラムを格納する。ＣＰＵはＲＯＭ内のプログラムにしたがって装置全体の動作を制御する。操作部５は、ファクシミリ送信時に選択番号を入力するテンキーとファクシミリ送信時の一連の操作にて使用するスタートキー、ストップキー、リダイヤルキー、ワンタッチキー、短縮番号を選択するための短縮キーなどがあり、また電話帳やメッセージ内容を登録するためのアルファベットキー、カナキー、漢字変換キーなどがあり、各種キー入力により入力されたデータをシステム制御部４に渡す。表示部６は、システム制御部４からの指示によりＬＥＤの点灯やＬＣＤ表示などの表示装置への表示あるいはブザーなどの鳴動を行う。ＬＣＤはキャラクタ表示タイプの他、ドットマトリクスタイプを用いることもでき、また操作機能も合わせたタッチパネル式表示部を用いることもできる。
【０００９】
読取部７は、例えばＣＣＤを有し、原稿を走査して原稿のイメージを読み取り、読み取ったイメージを２値化し、さらに、縮小，拡大などの変倍、線密度変換等も行う。書込部８は、サーマル記録方式や電子写真方式、インクジェット方式、トナージェット方式などで記録紙にイメージを記録する。通信制御部９は、網制御部１０を制御し、通信回線と接続し、中継依頼装置２や受信装置３ａ〜３ｃとの通信を制御する。また、通信制御部９はモデムを有し、受信したデータを復調したり、送信するデータを変調する。また、網制御部１０で検出したリンギング電圧のパルスの検出や、ＤＴＭＦ信号の検出、トーン信号の検出、送信時の発呼、発信者番号通知サービス手順の制御及び情報等の受信を行う。網制御部１０は通信回線と接続し、回線の閉結（直流ループ）や、呼出し信号（リンギング）の検出を行う。また、外付け電話器を接続する接続部を有する。
【００１０】
画像処理部１１は画像データの圧縮や伸張を行うとともに変倍処理等を行う。また、送信データにＴＴＩの埋め込みなどを行う。画像メモリ１２は、例えば磁気ディスクやＲＡＭモジュールあるいはカードスロットに挿入されるメモリカードなどを有し、送信する画像データや受信した画像データを蓄積する。通信管理部１３は、ファクシミリ通信したとき、加入者線交換機２０から発信者番号通知で通知される発信者番号等の通信管理情報を画像メモリ１２に蓄積する画像データのファイル管理情報と対応させて記録する。
【００１１】
このファクシミリ装置１で発信者番号通知による発信者番号情報の受信と、ファクシミリ通信の処理を図３のフローチャートを参照して説明する。
【００１２】
回線の極性が反転して加入者線交換機２０から情報受信端末起動信号を受信すると、受信したこの情報受信端末起動信号に対して、直流ループを閉結して１次応答信号を加入者線交換機２０に返す（ステップＳ１，Ｓ２）。その後、加入者線交換機２０から発信者番号通知により発信者番号等の情報を受信と、システム制御部４は受信した発信者番号等の情報を通信管理部１３に記憶する（ステップＳ３）。ここで１次応答信号に一定時間例えば６秒以上かかった場合には、加入者線交換機２０は発信者番号通知サービス機能がない端末と認識して発信者番号等の情報を送らず、通常の呼出し信号が送出される。ファクシミリ装置１で発信者番号等の情報を受信すると、その確認として直流ループを解放して加入者線交換機２０に受信完了通知信号を送出する（ステップＳ４）。その後、加入者線交換機２０からの呼出し信号を受信し（ステップＳ５）、呼出し信号に対して直流ループを閉結して加入者線交換機２０に対して２次応答信号を返す（ステップＳ６）。その後、ファクシミリ通信が可能な状態となり、ファクシミリ通信を行い（ステップＳ７）、ファクシミリ通信終了時には回線を解放する。
【００１３】
このようにして例えば中継依頼装置２から受信があったときに、中継依頼装置２の発信者番号等の情報を受信して通信管理部１３に記憶することができる。
【００１４】
次にファクシミリ装置１で、中継依頼装置２から受信装置３ａ〜３ｂに対する中継依頼送信を受けたときの処理を図４のフローチャートを参照して説明する。
【００１５】
ファクシミリ装置１は、中継依頼装置２からのファクシミリ送信操作により呼出し信号を受け、発信者番号等の情報を受信して通信管理部１３に記憶した後（ステップＳ１１）、直流ループを閉結して加入者線交換機２０に対して２次応答信号を返す（ステップＳ１２）。この直流ループが閉結した状態で中継依頼装置２からリモート中継のファクシミリ通信であることを示すＰＢ信号が送られ、そのＰＢ信号を網制御部１０を介して通信制御部９で検出すると、通信制御部９はリモート中継のファクシミリ通信であることをシステム制御部４に通知する（ステップＳ１３）。システム制御部４は、リモート中継のファクシミリ通信であることが通知されると、リモート中継のファクシミリ通信であることを示すリモート中継情報を通信管理部１３に格納した発信者番号等の情報に対応して記憶する（ステップＳ１４）。その後、ファクシミリ受信を行い受信した画像データを画像メモリ１２に蓄積する（ステップＳ１５）。ここでリモート中継のファクシミリ通信であることを示すＰＢ信号が一定時間経過しても送られないとき、通常のファクシミリ受信を行う（ステップＳ１３，Ｓ１５）。
【００１６】
中継依頼装置２からの受信が終了し、通信管理部１３にリモート中継情報が格納されている場合（ステップＳ１６）、システム制御部４はリモート中継情報と対応して通信管理部１３に記憶している中継依頼装置２の発信者番号情報に含まれる発信者番号を読み出し、ファクシミリ装置１のＣＳＩ（被呼端末識別信号）としてセットする（ステップＳ１７）その後、画像メモリ１２に蓄積したリモート中継を行う画像データを指定された受信装置３ａ〜３ｃにファクシミリ送信する（ステップＳ１８）。このファクシミリ送信が終了したら（ステップＳ１９）、設定したＣＳＩをファクシミリ装置１の情報に戻す（ステップＳ２０）。
【００１７】
このように中継依頼をされたファクシミリ装置１で受信装置３ａ〜３ｃに中継依頼された画像データを送信するとき、中継依頼装置２の発信者番号をＣＳＩにセットして受信装置３ａ〜３ｃに送るから、画像データを受信した受信装置３ａ〜３ｃは画像データを送った中継依頼装置２の発信者番号を確実に認識することができる。
【００１８】
前記説明では中継依頼をされたファクシミリ装置１で受信装置３ａ〜３ｃに中継依頼された画像データを送信するとき、中継依頼装置２の発信者番号をＣＳＩにセットして受信装置３ａ〜３ｃに送る場合について説明したが、中継依頼装置２の発信者番号をファクシミリ装置１の発信元名称表示ＲＴＩにセットして受信装置３ａ〜３ｃに送っても良い。
【００１９】
【発明の効果】
この発明は以上説明したように、リモート中継依頼がされたときに受信側ファクシミリ装置に、通信管理部に記憶した発信側ファクシミリ装置の発信者番号をＣＳＩ情報又はＲＴＩ情報としてファクシミリ転送するようにしたから、画像データを受信した受信側ファクシミリ装置で画像データを送った送信側ファクシミリ装置の発信者番号を確実に認識することができ、ファクシミリ返信を容易に行うことができる。
【図面の簡単な説明】
【図１】この発明のシステム構成を示すブロック図である。
【図２】ファクシミリ装置の構成を示すブロック図である。
【図３】発信者番号情報と画像データの受信処理を示すフローチャートである。
【図４】中継依頼送信を受けたときの処理を示すフローチャートである。
【符号の説明】
１；ファクシミリ装置、２；中継依頼装置、３；受信装置、
４；システム制御部、５；操作部、６；表示部、７；読取部、８；書込部、
９；通信制御部、１０；網制御部、１１；画像処理部、１２；画像メモリ、
１２；通信管理部、２０；加入者線交換機。
【図１】
2004112032.tif 000003
【図２】
2004112032.tif 000004
【図３】
2004112032.tif 000005
【図４】
2004112032.tif 000006